(57)【特許請求の範囲】
【請求項１】
前端部と、
後端部と、
該後端部から前記前端部に縦方向に伸びる長手方向軸線と、
該長手方向軸線に垂直である横方向軸線と、
前記つま革に隣接して画成され、足を靴の上から差し入れて靴の中で広げることができる開口部であって、前記長手方向軸線および前記横方向軸線に対して傾いた前縁部、内側端部、該内側端部と比べたとき前記前端部により近接する外側端部を有する開口部と、を含み、
前記前縁部は前記つま革の上部であって、つま革の取り付けられた靴底の上側表面に対して水平なつま革。
【請求項２】
前記開口部の前記傾いた前縁部は、該傾いた前縁部と前記横方向軸線との間に５度から５０度の範囲の第１の鋭角θを有する、請求項１に記載のつま革。
【請求項３】
前記つま革は、内側端部を有する内側フラップと、該内側フラップより短い外側フラップであって、前記内側フラップの前記内側端部と比べたとき前記つま革の前記前端部により近接する外側端部を有する外側フラップと、前記内側フラップと外側フラップとの間に形成され、前記傾いた前縁部と同方向に傾いた後縁部を有するタンとを含み、前記開口部の傾いた前縁部が前記タンの後縁部より前記前端部側に形成されている、請求項１に記載のつま革。
【請求項４】
前記つま革は、該つま革に形成され、後縁部が設けられた甲ストラップを有し、
前記開口部の前記傾いた前縁部は、前記甲ストラップの前記後縁部に形成され、前記傾いた前縁部と前記横方向軸線との間に５度から５０度の範囲の第１の鋭角を有する、請求項１に記載のつま革。
【請求項５】
前記傾いた前縁部は、内側の傾けられた前縁部であり、該内側の傾けられた前縁部と前記横方向軸線との間に第１の鋭角を有し、
前記開口部は、前記内側の傾いた前縁部に接続された外側の傾いた前縁部を有し、前記長手方向軸線および前記横方向軸線に対して傾けられ、前記外側の傾いた前縁部と前記横方向軸線との間に前記第１の鋭角より小さい第２の鋭角を有し、
前記外側の傾いた前縁部は、内側端部と、外側端部と、前記外側の傾いた前縁部の前記外側端部に比べたとき前記つま革の前記前端部により近接する前記外側の傾いた前縁部の前記内側端部とを有する、請求項１に記載のつま革。
【発明の詳細な説明】
【技術分野】
【０００１】
本発明は靴のつま革すなわち装甲 (vamp)に関し、特に、靴に取り付けられ、靴を履く足の靴に対する回転または動きを防ぐための前縁部が傾斜した開口部を有する、靴のつま革に関する。
【背景技術】
【０００２】
靴は基本的に靴底およびつま革を有する。靴底は、非常に重視され、快適性および耐久性のために開発されている。しかし、足の健康に関係するつま革は、設計者に見向きもされない。
【０００３】
図５および図６を参照して、従来の靴は、前端部と、後端部と、軸線と、つま革９０と、靴底とを有する。つま革９０は、開口部と、前方外側部９１と、後方内側部９２とを有する。前記軸線は、前記後端部から前記前端部に縦方向に伸びる。前記開口部は前縁部を有する。つま革９０の前縁部は、靴を履くとき足の甲に触れ、人間工学を考慮しないで前記軸線に垂直であるように設計されている。しかし、足の甲は、前記開口部の前記前縁部に平行である代わりに靴の前記軸線に対して傾いている。足の甲は、前記前縁部を甲に対応させかつ甲に平行にさせるために前記つま革に対して、容易に回転しかつ滑る。したがって、足のつま先は、つま革９０の前方外側部９１を押すように滑り、足のかかとはつま革９０の後方内側部９２を押すように滑る。つま革９０の前方外側部９１および後方内側部９２を異常に押すつま先およびかかとは、内反足および外反足を引き起こす。
【０００４】
靴の設計者達は、靴底を再設計することによって内反足および外反足の軽減または除去し、前記つま革の前記問題を解決しようとしている。しかし、目立った改善が得られていない。
【発明の開示】
【発明が解決しようとする課題】
【０００５】
本発明は、前記の問題点を軽減または除去のために前縁部が傾いた開口部を有する靴のつま革を提供する。
【０００６】
本発明の目的は、靴に取り付けられ、靴を履いている足の靴に対する回転または動きを防ぐための開口部の前縁部が傾いたつま革を提供することである。
【課題を解決するための手段】
【０００７】
本発明に係るつま革は、前端部と、後端部と、長手方向軸線と、横方向軸線と、開口部とを有する。前記長手方向軸線は、前記後端部から前記前端部に縦方向に伸びる。前記横方向軸線は前記長手方向軸線に垂直である。前記開口部は、前記つま革に形成され、前記長手方向軸線および前記横方向軸線に対して傾いた前縁部を有し、さらに、内側端部と、該内側端部と比較して前記つま革の前記前端部により近い外側端部とを有する。
前記開口部の前縁部が傾いたつま革は、足の靴に対する回転または動きを防ぐように足の甲の形状に完全に一致している。したがって前記つま革は、効果的に内反足および外反足を予防する。
【０００８】
本発明の他の目的、利点および新規の特徴は、添付の図面に関する以下の詳細な説明からより明らかになろう。
【発明を実施するための最良の形態】
【０００９】
図１を参照して、本発明に係るつま革の第１の実施例は、対をなす靴の片方の靴底に取り付けられている。靴は靴ひもなしで作られており、革靴またはブーツである。
【００１０】
つま革は、前端部と、後端部と、長手方向軸線Aと、横方向軸線Lと、開口部とを含む。
【００１１】
前記前端部は足のつま先に対応する。
【００１２】
前記後端部は足のかかとに対応する。
【００１３】
長手方向軸線Aは、前記後端部から前記前端部に縦方向に伸びる。
【００１４】
横方向軸線Lは、長手方向軸線Aに垂直である。
【００１５】
開口部２０は、前記つま革に形成され、足を開口部２０を通して靴の中に広げることができ、図１に示すように前縁部１１が傾いている。図１中符号１７はタンで、タン１７は傾いた前縁部１１と同方向に傾いた後縁部１７１を有する。
【００１６】
前端部１１は、長手方向軸線Aおよび横方向軸線Lに対して傾いており、傾いた前縁部１１と横方向軸線Lとの間に５度から５０度の範囲の第１の鋭角θを有する。傾いた前縁部１１は、内側端部１１１および外側端部１１３を有する。外側端部１１３は、内側端部１１１に比べて前記つま革の前記前端部により近接している。傾いた前縁部１１は、足の甲に対応し、足の靴のつま革に対する回転または動きを防ぐ。したがって、前記つま革は、内反足または外反足の苦痛から足を予防する。
【００１７】
図２を参照して、本発明に係るつま革の第２の実施例は、対をなす靴の片方の靴底に取り付けられている。前記靴は、靴ひものあるものとして作られており、トレーニングシューズ、ウォーキングシューズまたはランニングシューズである。つま革は、前端部と、後端部と、長手方向軸線Aと、横方向軸線Lと、内側フラップ１５と、外側フラップ１６と、タン１７と、開口部２０Aとを含む。
【００１８】
内側フラップ１５は内側端部１１１を有する。
【００１９】
外側フラップ１６は、内側フラップ１５より短く、内側フラップ１５の前記内側端部１１１と比較したとき前記つま革の前記前端部により近い外側端部１１３を有する。
【００２０】
タン１７は、内側フラップ１５と外側フラップ１６との間に形成され、傾いた前縁部１１Aと同方向に傾いた後縁部１７１を有する。
【００２１】
開口部２０Aは、傾いた前縁部１１Aを有する。傾いた前縁部１１Aは、第１の実施例の傾いた前縁部１１と同様であり、内側フラップ１５の内側端部１１１の前に外側フラップ１６の外側端部１１３を有する。
【００２２】
図３を参照して、本発明に係るつま革の第３の実施例は、サンダルに取り付けられ、第１の実施例と同様であり、甲ストラップ１８を有する。甲ストラップ１８は、前記つま革に形成され、後縁部を有する。開口部２０Bの傾いた前縁部１１Bは、前記第１の実施例と同様であり、傾いた甲ストラップ１８の後縁部を作るように甲ストラップ１８の後縁部に形成されている。
【００２３】
図４を参照して、本発明に係るつま革の第４の実施例は、第１の実施例と同様であり、靴ひものない靴の片側に取り付けられている。前記開口部は、内側の傾いた前縁部１１Dおよび外側の傾いた前縁部１２Dを有する。内側の傾いた前縁部１１Dは、前記第１、第２および第３の実施例の傾いた前縁部１１、１１A、１１Bと同様である。外側の傾いた前縁部１２Dは、内側の傾いた前縁部１１Dに接続され、長手方向軸線Aおよび横方向軸線Lに対して傾けられている。外側の傾いた前縁部１２Dは、外側の傾いた前縁部１２Dと横方向軸線Lとの間に第１の鋭角θより小さい第２の鋭角αを有する。外側の傾いた前縁部１２Dは、内側端部１２１および外側端部１２３を有する。内側端部１２１は、外側の傾いた前縁部１２Dの外側端部１２３と比べたとき、前記つま革の前記前端部により近接している。
【産業上の利用可能性】
【００２４】
前記つま革の傾いた前縁部１１、１１A、１１B、１１Dは、足の靴に対する回転または動きを防ぐように足の甲の形状に完全に一致している。したがって、前記つま革は、効果的に内反足または外反足を予防する。
【００２５】
本発明の様々な特徴や利点を詳細な構造や機能とともに上記にて説明してきたが、開示は一例にすぎない。変更すること、特に形状や大きさ、部品の配置を変更することは、請求項が表現する言葉の広い解釈により定められる範囲を超えない限り可能である。
【図面の簡単な説明】
【００２６】
【図１】本発明に係る前縁部が傾斜した開口部を含むつま革の第１の実施例の平面図。
【図２】本発明に係る前縁部が傾斜した開口部を含むつま革の第２の実施例の平面図。
【図３】本発明に係る前縁部が傾斜した開口部を含むつま革の第３の実施例の平面図。
【図４】本発明に係る前縁部が傾斜した開口部を含むつま革の第４の実施例の平面図。
【図５】従来技術に係るつま革のある靴の平面図。
【図６】図５における足が靴を履いた状態での平面図。
【符号の説明】
【００２７】
１１、１１Ａ、１１Ｂ  傾いた前縁部
１１Ｄ  内側の傾いた前縁部
１２Ｄ  外側の傾いた前縁部
１５  内側フラップ
１６  外側フラップ
１７  タン
１８  甲ストラップ
２０、２０Ａ、２０Ｂ  開口部
１１１、１２１  内側端部
１１３、１２３  外側端部
Ａ  長手方向軸線
Ｌ  横方向軸線
θ  第１の鋭角
α  第２の鋭角
【図１】
0005438932.tif 000002
【図２】
0005438932.tif 000003
【図３】
0005438932.tif 000004
【図４】
0005438932.tif 000005
【図５】
0005438932.tif 000006
【図６】
0005438932.tif 000007